【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
無線局と通信可能な無線端末であって、
無線局へ測定指示を要求する信号を送信する測定指示要求手段と、
前記無線局から受信した前記測定指示に従って測定を実行する測定手段と、
測定結果と当該無線端末の位置に関係する情報とを報告する信号を前記無線局へ送信する報告手段と、
を有することを特徴とする無線端末。
【請求項２】
前記測定指示要求手段は、端末におけるトリガ発生に応じて前記測定指示を要求する信号を送信することを特徴とする請求項１に記載の無線端末。
【請求項３】
前記端末におけるトリガは、当該無線端末の利用者による測定指示要求操作または当該無線端末内部のＲＲＣ(Radio Resource Control)レイヤあるいはその上位レイヤから発生することを特徴とする請求項２に記載の無線端末。
【請求項４】
前記測定指示要求手段は、前記無線局から受信する下り信号の受信品質、前記位置に関係する情報、周辺セルに関係する情報、セル選択に関係する情報、通信状況に関係する情報のうち少なくとも一つに基づいて前記端末におけるトリガ発生を検出することを特徴とする請求項３に記載の無線端末。
【請求項５】
前記測定指示要求手段は、前記受信品質が所定値より劣化した時、当該受信品質劣化が所定時間以上持続した時、あるいは前記受信品質が前記所定値より改善した時に前記端末におけるトリガ発生を検出することを特徴とする請求項４に記載の無線端末。
【請求項６】
前記測定指示要求手段は、前記位置に関係する情報が所定エリアを示している時、前記位置に関係する情報が取得できた時、前記位置に関係する情報の精度が所定値以上である時、の少なくともいずれかの時に前記端末におけるトリガ発生を検出することを特徴とする請求項４または５に記載の無線端末。
【請求項７】
前記位置に関係する情報は、ＧＮＳＳ(Global Navigation Satellite System)または前記無線局を含む無線通信ネットワークによる位置情報サービスＬＣＳ(Location Service)を用いて取得した位置情報を含むことを特徴とする請求項６に記載の無線端末。
【請求項８】
前記端末におけるトリガの発生条件が前記無線局から通知されることを特徴とする請求項２−７のいずれか１項に記載の無線端末。
【請求項９】
前記測定指示を要求する前に、前記位置に関係する情報を取得することを特徴とする請求項１−８のいずれか１項に記載の無線端末。
【請求項１０】
前記測定指示要求手段が前記測定指示を要求する場合、前記無線端末がアイドル状態(RRC_Idle)からアクティブ状態(RRC_Connected)へと遷移し、前記無線局との接続確立要求
メッセージまたは接続確立完了メッセージを用いて前記測定指示要求を送信することを特徴とする請求項１−９のいずれか１項に記載の無線端末。
【請求項１１】
無線局と通信可能な無線端末における通信制御方法であって、
測定指示要求手段が無線局へ測定指示を要求する信号を送信し、
測定手段が前記無線局から受信した前記測定指示に従って測定を実行し、
報告手段が測定結果と当該無線端末の位置に関係する情報とを報告する信号を前記無線局へ送信する、
ことを特徴とする通信制御方法。
【請求項１２】
前記測定指示要求手段が端末におけるトリガ発生に応じて前記測定指示を要求する信号を送信することを特徴とする請求項１１に記載の通信制御方法。
【請求項１３】
前記端末におけるトリガは当該無線端末の利用者による測定指示要求操作または当該無線端末内部のＲＲＣ(Radio Resource Control)レイヤあるいはその上位レイヤから発生することを特徴とする請求項１２に記載の通信制御方法。
【請求項１４】
前記測定指示要求手段は、前記無線局から受信する下り信号の受信品質、前記位置に関係する情報、周辺セルに関係する情報、セル選択に関係する情報、通信状況に関係する情報のうち少なくとも一つに基づいて前記端末におけるトリガ発生を検出することを特徴とする請求項１３に記載の通信制御方法。
【請求項１５】
前記測定指示要求手段が、前記受信品質が所定値より劣化した時、当該受信品質劣化が所定時間以上持続した時、あるいは前記受信品質が前記所定値より改善した時に前記端末におけるトリガ発生を検出することを特徴とする請求項１４に記載の通信制御方法。
【請求項１６】
前記測定指示要求手段が、前記位置に関係する情報が所定エリアを示している時、前記位置に関係する情報が取得できた時、前記位置に関係する情報の精度が所定値以上である時、の少なくともいずれかの時に前記端末におけるトリガ発生を検出することを特徴とする請求項１４または１５に記載の通信制御方法。
【請求項１７】
前記位置に関係する情報はＧＮＳＳ(Global Navigation Satellite System)または前記無線局を含む無線通信ネットワークによる位置情報サービスＬＣＳ(Location Service)を用いて取得した位置情報を含むことを特徴とする請求項１６に記載の通信制御方法。
【請求項１８】
前記測定指示を要求する前に前記位置に関係する情報を取得することを特徴とする請求項１１−１７のいずれか１項に記載の通信制御方法。
【請求項１９】
前記端末におけるトリガの発生条件が前記無線局から通知されることを特徴とする請求項１２−１７のいずれか１項に記載の通信制御方法。
【請求項２０】
前記測定指示要求手段が前記測定指示を要求する場合、前記無線端末がアイドル状態(RRC_Idle)からアクティブ状態(RRC_Connected)へと遷移し、前記無線局との接続確立要求
メッセージまたは接続確立完了メッセージを用いて前記測定指示要求を送信することを特徴とする請求項１１−１９のいずれか１項に記載の通信制御方法。
【請求項２１】
無線局と前記無線局と通信可能な無線端末と、を含む無線通信システムであって、
前記無線端末が前記無線局へ測定指示を要求する信号を送信し、
前記無線端末が前記無線局から受信した前記測定指示に従った測定を実行し、
前記無線端末が測定結果と当該無線端末の位置に関係する情報とを報告する信号を前記無線局へ送信する、
ことを特徴とする無線通信システム。
【請求項２２】
前記無線端末が移動端末であり、前記無線局が無線基地局あるいは基地局制御局であることを特徴とする請求項２１に記載の無線通信システム。
【請求項２３】
無線端末と通信可能な無線局であって、
測定指示を含む信号を前記無線端末へ送信する指示送信手段と、
前記無線端末から受信した測定結果と前記無線端末の位置に関係する情報とを格納する格納手段と、
前記測定結果と前記位置に関係する情報とを無線通信ネットワークの情報収集装置へ送信する情報送信手段と、
を有することを特徴とする無線局。
【請求項２４】
無線局と通信可能な制御装置であって、
無線端末から送信された測定指示要求信号を前記無線局から受信する受信手段と、
前記測定指示要求信号に対して当該無線端末の測定結果が必要か否かを判定する制御手段と、
必要と判定されると、前記無線端末に対して測定指示信号を送信する送信手段と、
を有することを特徴とする制御装置。
【請求項２５】
無線局と通信可能な無線端末におけるプログラム制御プロセッサを機能させるプログラムであって、
測定指示要求手段が無線局へ測定指示を要求する信号を送信し、
測定手段が前記無線局から受信した前記測定指示に従って測定を実行し、
報告手段が測定結果と当該無線端末の位置に関係する情報とを報告する信号を前記無線局へ送信する、
ように前記プログラム制御プロセッサを機能させることを特徴とするプログラム。